(57)【特許請求の範囲】
【請求項１】
デジタルデータ送信における、２つ若しくは３つ以上の並列送信経路から少なくとも１つのクロック信号を備える送信経路を選択する方法であって、少なくとも２つの並列送信経路の少なくとも２つのクロック信号間の位相差は動的である、前記方法において、
あるクロック信号を備える送信経路から他のクロック信号を備える他の送信経路への変更がクロック信号の受信のロッキングの不確実性を示す信号に基づいて切替装置から制御信号によって要求される（２５）段階であって（２５）、ここで前記クロック信号の受信のロッキングの不確実性を示す信号は位相ロックループから受信される（２３）、前記段階と、
前記あるクロック信号と他のクロック信号が同じ値を有しているかどうか（２５）、及び、信号位相差の極性が反転されていることを検出する段階であって（２５）、前記信号位相差の極性の反転は、前記あるクロック信号と前記他のクロック信号がちょうど同相若しくは１８０°の位相シフトのいずれかの状態にあることを示す、前記段階と、を備え、
前記あるクロック信号と前記他のクロック信号が同じ値を有し、且つ、前記信号位相差の極性が反転されている場合には、前記クロック信号が静的な値を有する間に前記変更が実行されることを確実にするための遅延（ＤＬ）の後に、使用中のクロック信号を備える送信経路が変更され（２６）、この場合、変更すべきクロック信号の位相と可能な限り一致したときに変更が行われる、
ことを特徴とする変更方法。
【請求項２】
請求項１記載の方法において、
前記あるクロック信号と他のクロック信号の同じ値を検出するブロックでは、双方のクロック信号（ＣＬＫ１、ＣＬＫ２）が同じ値にあるときに検出信号が送信され（２５）、
位相シフト感知結合により、クロック信号の同じでない値を検出するブロックのために位相差の極性の変化を示す信号が形成され（２５）、
変更を実現するための基準が満たされることをチェックするブロックのために位相差の極性の変化を示す信号が遅延法で送信され（２５）、それが検出されたときはクロック信号は異なる値であり、
マルチプレクサ（２５）は、少なくとも制御信号（ＣＯＮＴＲＯＬ）、クロック信号の同じ値を検出する信号、位相差の極性の変化を示す、遅延させるべき信号が作動中であるときに、クロック信号を制御信号（ＣＯＮＴＲＯＬ）によって示される値に変更するよう調整される、
ことを特徴とする方法。
【請求項３】
デジタルデータ送信のため、及び、デジタルデータ送信にあたり２つ若しくは３つ以上の並列送信経路のそれぞれを通じて送信された２つ若しくは３つ以上のクロック信号からクロック信号を選択するための第１装置（３１、３７）であって、少なくとも２つの並列送信経路の少なくとも２つのクロック信号間の位相差は動的である、前記第１装置において、前記第１装置は、前記２つ若しくは３つ以上のクロック信号を受信し、クロック信号の受信のロッキングの失敗に基づいて、使用中のクロック信号を変更するための切替装置（３８）を備え、前記切替装置（３８）は、
使用中のクロック信号のロッキングの不確実性を示す制御信号（ＰＦ，ＣＯＮＴＲＯＬ）を受信する手段（５１，６７）と、
使用中のクロック信号と受信した他のクロック信号であって、それらの間で変更を行うものとされている前記クロック信号が、同じ値を有するかどうかを検出する手段（６１）と、
前記クロック信号がちょうど同相若しくは１８０°の位相シフトのいずれかの状態にあることを示す、前記信号位相差の極性の反転を検出する手段（６２、６３、６４、６５）と、
前記変更を行う基準、即ち、制御信号を受信したこと、前記クロック信号が同じ値であること、及び極性の反転が満たされているかどうかをチェックする制御手段（６７）と、
前記クロック信号が静的な値を有する間に前記変更を行うことを確実にするために変更の瞬間を遅延させる手段（ＤＬ、７１）を更に備える、
ことを特徴とする装置。
【請求項４】
請求項３記載の第１装置において、前記切替装置（３８）は特定用途向けＩＣで実現されるものであり、また、
前記信号を変更するために適当なクロック信号位相の間待つことによって、更に、その後に変更を行うことによって、受信すべき信号対のクロック信号（ＣＬＫ１、ＣＬＫ２）を受信すべきクロック信号（ＣＬＫ）として選択するクロック信号マルチプレクサ（５１）と、
データ信号（ＤＡＴＡ１、ＤＡＴＡ２）とクロック信号（ＣＬＫ１、ＣＬＫ２）が、フレームからデコードされるデータ信号（ＤＡＴＡＤＦ１、ＤＡＴＡＤＦ２）と制御信号とに形成される、少なくとも２つのデータフレームデコーディングブロック（５２、５３）と、
デコードしたデータ信号（ＤＡＴＡＤＦ１、ＤＡＴＡＤＦ２）と制御信号とによって、受信すべきクロック信号（ＣＬＫ）によって同期化されるデータ信号（Ｄ１、Ｄ２）が形成される、少なくとも２つの弾性バッファ・制御ブロック（５４、５５）と、
制御信号（ＳＹＮＣ）によって調整することにより、受信すべきデータ信号（Ｄ）を選択するデータ信号マルチプレクサ（５６）と、
受信したデータ信号（Ｄ）を受信したクロック信号（ＣＬＫ）によって最終のデータ信号（ＤＡＴＡ）へ同期するため、また、データ信号マルチプレクサ（５６）を制御信号（ＳＹＮＣ）によって制御するための、デコーディングブロック（５７）と、
を備える装置。
【請求項５】
請求項３または４記載の第１装置において、前記第１装置（３１、３７）は、移動遠距離通信システムにおける無線リンクの一部を構成する装置。
【請求項６】
デジタルデータ送信のため、及び、請求項３に記載の第１装置（３７）を備えたデジタルデータ送信装置において２つ若しくは３つ以上の並列送信経路のそれぞれを通じて送信された２つ若しくは３つ以上のクロック信号からクロック信号を選択するための、前記デジタルデータ送信装置における第２装置（３６、４２）であって、少なくとも２つの並列送信経路の少なくとも２つのクロック信号間の位相差は動的である、前記第２装置において、
前記第２装置（３６、４２）は、送信経路を通じて送信されたクロック信号を受信する受信機と、前記第１装置（３７）へクロック信号を送信する送信機を備え、更に、受信した前記クロック信号と同期化すべき位相ロックと、制御信号を前記第１装置へ送信する手段（３６Ａ、４２Ａ）を備え、前記制御信号は、前記クロック信号のロッキングの不確実性を前記第１装置へ示すことを特徴とする装置。
【請求項７】
請求項６記載の第２装置において、前記第２装置は移動遠距離通信システムにおける無線リンクの一部である装置。
【請求項８】
デジタルデータ送信における、あるクロック信号から他の並列クロック信号への変更装置であって、前記装置は、送信すべきクロック信号を分割する第１の装置（３１）と、並列クロック信号を無線接続を通じて送信する複数のアンテナ（３４、３５、４０、４１）と、使用すべきクロックを選択する第２の装置（３７）と、を備える装置であって、前記並列クロック信号間の位相差は動的である、前記装置において、
複数の第３の装置（３３、３９）であって、それぞれ、前記第１の装置（３１）と少なくとも１つのアンテナ（３４、３５）と協働し、更に、複数のクロック信号を送信するための送信機が設けられている、前記複数の第３の装置（３３、３９）と、
複数の第４の装置（３６、４２）であって、それぞれ、前記第２の装置（３７）と少なくとも１つのアンテナ（４０、４１）と協働し、更に、前記第３の装置（３３、３９）によって送信されたクロック信号を受信するための受信機と、前記クロック信号と同期すべき位相ロックと、前記クロック信号と制御信号を前記第２の装置（３７）へ送信するための送信機と、が設けられており、
前記第２の装置（３７）の切替装置（３２）は、複数のクロック信号を受信し、クロック信号の受信のロッキングの失敗に基づいて、使用中のクロック信号を変更するものであり、前記切替装置（３２）は、
使用中のクロック信号のロッキングの不確実性を示す制御信号（ＰＦ，ＣＯＮＴＲＯＬ）を受信する手段（５１，６７）と、
使用中のクロック信号と受信した他のクロック信号であって、それらの間で変更を行うものとされている前記クロック信号が、同じ値を有するかどうかを検出する手段（６１）と、
前記クロック信号がちょうど同相若しくは１８０°の位相シフトのいずれかの状態にあることを示す、前記信号位相差の極性の反転を検出する手段（６２、６３、６４、６５）と、
前記変更を行う基準、即ち、制御信号を受信したこと、前記クロック信号が同じ値であること、及び極性の反転が満たされているかどうかをチェックする制御手段（６７）と、
前記クロック信号が静的な値を有する間に前記変更を行うことを確実にするために変更の瞬間を遅延させる手段（ＤＬ、７１）を更に備える、
ことを特徴とする装置。
【請求項９】
請求項８記載の装置において、前記切替装置（３８）は特定用途向けＩＣで実現されるものであり、また、
前記信号を変更するためにクロック信号の適当な位相の間待つことによって、更に、変更を行うことによって、受信すべき信号対のクロック信号（ＣＬＫ１、ＣＬＫ２）を受信すべきクロック信号（ＣＬＫ）として選択するクロック信号マルチプレクサ（５１）と、
データ信号（ＤＡＴＡ１、ＤＡＴＡ２）とクロック信号（ＣＬＫ１、ＣＬＫ２）が、フレームからデコードされるデータ信号（ＤＡＴＡＤＦ１、ＤＡＴＡＤＦ２）と制御信号とに形成される、少なくとも２つのデータフレームデコーディングブロック（５２、５３）と、
デコードしたデータ信号（ＤＡＴＡＤＦ１、ＤＡＴＡＤＦ２）と制御信号とによって、受信すべきクロック信号（ＣＬＫ）によって同期化されるデータ信号（Ｄ１、Ｄ２）が形成される、少なくとも２つの弾性バッファ・制御ブロック（５４、５５）と、
制御信号（ＳＹＮＣ）を用いて制御することによって、受信すべきデータ信号（Ｄ）を選択するデータ信号マルチプレクサ（５６）と、
受信したデータ信号（Ｄ）を受信したクロック信号（ＣＬＫ）によって最終のデータ信号（ＤＡＴＡ）として同期するための、また、データ信号マルチプレクサ（５６）を制御信号（ＳＹＮＣ）によって制御するための、デコーディングブロック（５７）と、
を備える装置。
【請求項１０】
請求項９記載の装置において、前記制御信号は、同期化信号ＳＹＮＣ、ビットエラー信号ＢＥ、フレーム整列アラーム信号ＦＡＡ、擬似フレーム信号ＰＦを含む装置。
【請求項１１】
請求項９記載の装置において、前記クロック信号マルチプレクサ（５１）は、
クロック信号ＣＬＫ１、ＣＬＫ２の双方が同じ値のときに作動信号を与える、クロック信号の同じでない値を検出するためのブロック（６１）と、
位相シフト感知結合を形成する、Ｄフリップフロップ回路（６２、６３、６４）と、
位相シフト感知結合からの出力が案内される、クロック信号の同じでない値を検出するためのブロック（６５）であって、前記位相シフト感知結合により、該ブロック（６５）の出力は、クロック信号ＣＬＫ１とＣＬＫ２の間の位相差の極性が変更されたときからクロック信号ＣＬＫ２の１サイクルの期間が経過した後に値１に上昇される、前記ブロック（６５）と、
クロック信号の同じでない値を検出するブロック（６５）からの出力信号を遅延させる遅延回路（６６）と、
切替要求制御信号の値をチェックするためにクロック信号の変更のための基準と、クロック信号の同一値を検出するブロック（６１）からの出力信号と、遅延ブロック（６６）からの出力信号をチェックするブロック（６７）と、
クロック信号間の位相差が垂直にないときは、基準をチェックするブロック（６７）の制御下で、クロック信号の変更を行うマルチプレクサ（６８）と、を備える装置。
【請求項１２】
２つ若しくは３つ以上のクロック信号を受信し、クロック信号の受信のロッキングの失敗に基づいて、使用中のクロック信号を変更するための切替装置（３８）であって、少なくとも２つのクロック信号間の位相差は動的である、前記切替装置において、前記切替装置（３８）は、
使用中のクロック信号のロッキングの不確実性を示す制御信号（ＰＦ，ＣＯＮＴＲＯＬ）を受信する手段（５１，６７）と、
使用中のクロック信号と受信した他のクロック信号であって、それらの間で変更を行うものとされている前記クロック信号が、同じ値を有するかどうかを検出する手段（６１）と、
前記クロック信号がちょうど同相若しくは１８０°の位相シフトのいずれかの状態にあることを示す、前記信号位相差の極性の反転を検出する手段（６２、６３、６４、６５）と、
前記変更を行う基準、即ち、制御信号を受信したこと、前記クロック信号が同じ値であること、及び極性の反転が満たされているかどうかをチェックする制御手段（６７）と、
前記クロック信号が静的な値を有する間に前記変更を行うことを確実にするために変更の瞬間を遅延させる手段（ＤＬ、７１）と、
を備えることを特徴とする装置。
【発明の詳細な説明】
【０００１】
【発明の属する技術分野】
本発明は、デジタルデータ送信の伝播保証にあたり並列クロック信号を変更するための、特に、無線リンクの伝播保証を実現するための方法及び装置に関する。本発明は、例えば光学送信経路を用いた接続のような、他のデータ送信接続にも適当である。
【０００２】
【従来の技術】
デジタル無線リンクのための品質要求が一般に知られている。これらの要求は、例えばＩＴＵ、国際電気通信連合によって設定される。これらの品質要求は、送信の信頼性と干渉が無いといった品質を表す。最も重要な特徴は、有用性、誤り率、位相ノイズである。これらの基準の達成に影響を与える要因の中には、ハードウェア不調、天気、信号経路の変化が含まれる。これらの要求を満たすため、無線リンクのために装置及び伝播の保証を与える必要がある。これは、代わりの装置と送信経路を使用することを意味する。装置の保証によって有用性はより確実なものとされ、伝播の保証によって誤り率と位相ノイズはより低いものとなる。
【０００３】
図１は、伝播保証の１つの目標を示すブロック図である。公衆電話交換網（ＰＳＴＮ）１１は、ワイヤによって交換局（ＭＳＣ）１２に接続されている。交換局１２と基地局コントローラ（ＢＳＣ）１３の間の無線リンクのセキュリティは非常に重要であり、それ故、それは一般に保障される。コントローラ１３は更に、無線接続（これもまたバックアップされ得る）によって、遠距離通信基地局（ＢＴＳ）１４、１６、１８やそれらのアンテナ１５、１７、１９に接続される。
【０００４】
無線リンクの伝播保証は、１つ若しくは幾つかの（数個の）並列無線接続によって実現される。ここでは、主要な無線接続と並列に、同じ情報を運搬する１つ若しくは幾つかの他のバックアップ送信経路が構築される。これらの送信経路は、好ましくは、地形の変化、及び／又は、天気の変化によって生じる可能な干渉が双方の経路に同時に影響を与えることを防止するために異なっている。これらの送信経路中から、現行の状態において、無線リンクを受信するステイションで良好な信号を有するものが選択される。選択のために適用される基準は、一般には信号強度であるが、受信情報のパリティの正確さも基準である。送信経路の変更は、可能な限りエラーが存在しない方法で、異なる送信経路における複数の信号の伝播によって生じる動的及び静的位相差の双方を補償することにより、特別な切替装置によって実行される。クロック信号を扱うブロックは切替装置で最も重要な部分である。
【０００５】
クロック信号を変更するための既知のアナログ装置に伴う欠点の中には、別個の部品が必要とされることが含まれる。それらを使用することができるように回路基板にスペースが必要であり、また、それらは著しい量の電力を消費する。
【０００６】
既知のアナログ装置に伴う他の欠点は、製造の最終段階におけるそれらのやっかいなチューニングである。
【０００７】
【発明の概要】
本発明の目的は、保障されるデータ送信リンクの複数の並列送信接続においてクロック信号を変更するための改良方法及び装置を導入することである。本発明の方法によれば、受信送信経路は位相ロックを失う前に変更され、リンクのデータ送信は、少なくとも１つの送信経路がクロック信号を十分にエラーの存在しない状態で送信する場合には、他の経路でエラーが生じている場合であってもエラーは無いままである。
【０００８】
これは、共通の屋内装置（ＩＵ）と連続して配置された複数の並列の屋外装置（ＯＵ）を通じて送信経路にクロック信号が送信されるようにして実現されるものであり、ここでクロック信号は屋外装置の第２のセットによって受信されるものであり、また、この信号は位相ロックループによってロックされ、位相ロックのモードの情報は第２の屋内装置に送信されるものであり、更に、受信する屋内装置では、使用している接続にエラーが生じた場合には、屋外装置から得られた情報に基づいてより少ないエラーを含む送信経路が選択される。ここでも、位相ロックからの切断を引き起こすような、クロック信号のフェージングはエラーとみなされる。
【０００９】
本発明は、デジタルデータ送信にあたり並列クロック信号を変更するための方法に関する。本発明によれば、クロック信号の変更は、切替装置から制御信号によって、位相ロックループから得られたロッキングにおける不確定さを示す信号に基づいて要求され、その後、ごく最近に信号が同じ位相状態にあるか若しくは１８０°の位相シフト状態にある状態を得るために信号位相差の極性をチューニングすることに加え、位相の同じ作動部分で信号を得るために同時信号パターン「１１」、つまり同時モードが予想され、遅延ＤＬ後に、クロック信号は、問題のクロック信号が位相の一致に可能な限り近づいたときに（瞬間に）変更される。
【００１０】
本発明は、デジタルデータ送信のために、及び、デジタルデータ送信の並列クロック信号の間で受信すべきクロック信号を変更するために設けられた屋内装置に関する。本発明によれば、屋内装置は、ロッキングの欠如に基づいて伝播保障クロック信号を受信し且つ変更するために切替装置を有する。
【００１１】
本発明はまた、デジタルデータ送信のために、及び、デジタルデータ送信の並列クロック信号を変更するために設けられた屋外装置に関する。本発明によれば、この屋外装置は、クロック信号を送信する送信機と、更に、クロック信号を受信する受信機、受信したクロック信号と同期化される位相ロック、および、屋内装置のために同期化のモードを示す信号出力のそれぞれを有する。
【００１２】
本発明は、デジタルデータ送信にあたり並列クロック信号を変更するための装置であって、該装置は、送信すべきクロック信号を分割する第１の屋内装置と、並列クロック信号を送受信するアンテナと、受信すべきクロックを選択する第２の屋内装置とを備える。本発明によれば、それはまた、
伝播保障クロック信号を受信するため、第１の屋内装置の第１の切替装置及び第２の屋内装置の第２の切替装置と、
送信経路において、クロック信号を送信する送信機の第１及び第２の屋外装置と、更に、クロック信号を受信する受信機において、受信したクロック信号と同期化される位相ロックを更にそれぞれ備える。
【００１３】
本発明によれば、送信経路の変更は、クロック信号に位相ロックされたループが同位相に保持されない程度にまでクロック信号の受信が悪化したときはいつでも実行される。
【００１４】
切替装置は、完全に特定用途向けのＩＣ（ＡＳＩＣ）を用いて実現され得る。
【００１５】
本発明の利点は、より少数の部品によって平均故障間隔（ＭＴＢＦ）がより短くなることである。
【００１６】
【発明の実施の形態】
添付図面を参照して本発明を以下により詳細に説明する。
図１は、従来技術の記述において既に上述した。
図２の流れ図は本発明による方法の動作段階を示す。送信されるデータフローは、２つの送信に分割され、主送信経路、つまり、デフォルト経路２１が選択される。クロック信号は、例えば無線接続を介して双方の送信経路を通じて送信される２２。クロック信号を受信したときに、クロック信号に位相ロックされたループ動作の信頼性が十分である場合、選択された送信経路におけるクロック信号の位相ロックが使用される２６。位相ロックされたループ動作の信頼性が十分でない場合、選択されたクロック信号の送信経路は、他の送信経路のクロック信号でロックされた位相ロックに変更することによって変更される２５。しかしながら、クロック信号は双方の送信経路を通じて送信される。
【００１７】
図３は、本発明によるリンク構成の本質要素を示すブロック図である。屋内装置（ＩＵ）３１は、伝播保障情報を受信する切替装置（ＣＤ）３２を備える。第１の送信経路は、屋外装置（ＯＵ）ＯＵ１  ３３、アンテナ３４、３５、屋外装置ＯＵ１  ３６を備える。右手側には、双方の送信経路に共通の屋内装置ＩＵ３７と、この屋内装置３７に含まれる切替装置ＣＤ３８が示されている。もう一方の送信経路は、対応する装置３９、４０、４１、４２を備える。左から右への送信のための送信経路の選択は切替装置３８によって行われ、右から左への送信のための送信経路の選択は切替装置３２によって行われる。屋外装置３３、３６、３９、４２は、クロック信号の受信時に同期化のモードを示す信号を生成しまた出力する手段３３Ａ、３６Ａ、３９Ａ、４２Ａを備える。
【００１８】
図４は、従来の切替装置を示すものであり、ここでは、２つのクロック信号ＣＬＫとデータ信号ＤＡＴＡとから成る２つの対が変更される。破線４１によって輪郭を描かれた複数の素子は、特定用途向けＩＣ（ＡＳＩＣ）によって実現され、それらは以下の部分を含む。即ち、相関器＆マルチプレクサＣＯＲＲ＆ＭＵＸ４７に加えて、第１の信号対ＣＬＫ１、ＤＡＴＡ１を受信する弾性バッファＥＬＡＳＴＩＣ  ＢＵＦＦＥＲ１、第２の信号対ＣＬＫ２、ＤＡＴＡ２を受信する弾性バッファＥＬＡＳＴＩＣ  ＢＵＦＦＥＲ２、基準クロック信号のマルチプレクサＲＥＦ  ＭＵＸ４４である。集積回路の外部には、少なくとも１つのアナログローパスフィルタ（ＬＰＦ）４５と電圧制御発振器（ＶＣＯ）４６が必要とされる。動作中のバッファ４２又は４３の書込みアドレスと読出しアドレスにおける差は、電圧制御発振器４６を制御するため、マルチプレクサＲＥＦ  ＭＵＸ４４を通じてフィルタ４５へ案内される。
【００１９】
バッファへの書込みは、入力クロック信号ＣＬＫ１、ＣＬＫ２と同期化され、読出しは、電圧制御発振器４６の出力信号ＣＬＫによって同期化され、この出力信号は、情報の書込みと読出しの間の時間差の信号によって動作中のケーブルのクロック信号ＣＬＫ１若しくはＣＬＫ２にロックされるものであり、この信号はバッファから得られる。受信すべきケーブルは相関器４７で判断され、そこでは、バッファを読み出すための制御信号ＣＯＮＴＲＯＬ１、２と、マルチプレクサを制御するための制御信号ＣＯＮＴＲＯＬ３が作り出される。
【００２０】
図５は、特定用途向けＩＣにおける本発明による信号切替装置のブロック図である。受信信号対のクロック信号ＣＬＫ１、ＣＬＫ２は、受信すべきクロック信号が選択される、クロック信号マルチプレクサＣＬＫ  ＭＵＸ５１に案内される。クロック信号ＣＬＫ１、ＣＬＫ２とデータ信号ＤＡＴＡ１、２は共に、例えば以下の信号、即ち、フレームからデコードされるデータ信号ＤＡＴＡＤＦ１、ＤＡＴＡＤＦ２の他、同期化信号ＳＹＮＣ、ビットエラー信号（ＢＥ）、フレーム整列アラーム信号（ＦＡＡ）、擬似フレーム信号（ＰＦ）を生成するために信号を使用するような、データフレームデコーディングブロック５２、５３にも案内される。屋外装置ＯＵはＰＦ信号を作動させ、一方、受信すべきクロック信号ＣＬＫ１、ＣＬＫ２のロッキングを緩める。この場合、送信すべきデータ信号は、所定のフレーム構造によって置換される。ＰＦ信号は、ＦＡＡ信号の前に、屋内装置におけるクロック信号ＣＬＫ１、ＣＬＫ２の受信時のエラー状態を示すために使用され、ＦＡＡ信号は、受信フレームにおける幾つかの整列エラーに基づいて作動されるだけである。擬似フレーム構造により、屋外装置ＯＵと屋内装置ＩＵ間のデータ送信は、屋外装置が適当なクロック信号を受信しない場合であっても動作を保持し得る。これらの信号は弾性バッファＥＢ＆ＣＴＲＬ５４、５５のブロックに案内され、ここには、データを同期するため、選択された受信すべきクロック信号ＣＬＫも案内される。ブロック５４、５５からのデータ信号Ｄ１、Ｄ２は、データ信号マルチプレクサＤＡＴＡ  ＭＵＸ５６により、信号Ｄとしてデコーディングブロック５７に案内される。デコーディングブロック５７では、マルチプレクサ５６が信号ＳＹＮＣによって制御される。
【００２１】
図６は、本発明の好ましい実施形態によるクロック信号マルチプレクサを示しており、このマルチプレクサは、信号を変更するために、適当なクロック信号位相の間待つものであり、その後、信号は変更される。信号パターン「１１」を検出するブロック６１は、クロック信号ＣＬＫ１、ＣＬＫ２の双方の値が１であるときに作動信号を送信する。Ｄフリップフロップ回路６２、６３、６４は、位相シフト感知結合（phase shift sensitive coupling）を形成しており、その出力は信号パターン「０１」、「１０」を検出するブロック６５へ案内される。この結合により、ブロック６５の出力は、クロック信号ＣＬＫ１とＣＬＫ２の間の位相差の極性が変更されたときから（瞬間から）クロック信号２の１クロックサイクルの期間が経過した後に値１に上昇される。こうして、ブロック６５の出力における上昇の瞬間における位相差は、垂直には存在せず１８０°である。これらの信号が共通位相（cophasal）の場合、それらの信号は短い遅延ＤＬ６６の後に、ほとんど位相シフト無しで交換され得る。マルチプレクサ６８によるクロック信号の変更は、切替動作の基準をチェックするブロック６７によって制御され、このブロック６７は入力信号として、切替を要求する制御信号、クロック信号パターン「１１」を示す信号、及び、クロック信号位相におけるシフトを示す、遅延ＤＬによって遅延された信号を受信する。前記の基準に基づいて、これらの信号は共通位相であって、１８０°の位相シフトの状態にないことが分かる。遅延ＤＬの目的は、クロック信号の変更が、クロック信号がシステムの観点から静的モード（静的な値）、つまりモード１にある間に実行されることを確実にすることである。これは妨害電圧ピークの生成を防止する。
【００２２】
図７は、本発明による他のクロック信号切替装置を示す。この装置は、図６に示した実施例に加えて、変化に同期するためのアナログ位相ロックループ（ＡＰＬＬ）７１を備える。このループは、第２のクロック信号ＣＬＫ２の周波数に４を掛ける。ループ７１の出力は、切替基準をチェックするブロック６７に案内される。ＡＰＬＬの使用により、図６に示された遅延ＤＬはここでは不要である。なぜなら、切替モードは、周波数が４倍された遅れた信号位相を適用することによって、遅延され得るからである。
【００２３】
ブロック信号パターン「１１」を示すブロック６１は、例えばＡＮＤゲートによって実現され得る。パターン「０１」若しくは「１０」を示すブロック６５は、例えばＸＯＲゲートによって実現され得る。パターン「１０」を示すブロック８６は、例えばインバータとＡＮＤゲートによって実現され得る。
【００２４】
図８は、本発明による第３のクロック信号切替装置を示す。ここでは、信号間の位相差は、現行の時間差が遅延ＤＬよりも長くない間に検出される。クロック信号ＣＬＫ１がクロック信号ＣＬＫ２よりも僅かなビットだけ進んでいるとき、Ｄフリップフロップの出力モードは１として送信されるが、何らかの場合における位相差が遅延ＤＬ８３を生じさせたときは、Ｄフリップフロップ８４、８５の出力モードは０として送信される。これらの信号は十分に正確に共通位相となると考えられ、位相検出器８６は、入力としてＤフリップフロップ８２、８５の出力信号をモード１、０で得て、出力として信号１を与える。アナログ位相ロックループ７１、切替基準をチェックするブロック６７、マルチプレクサ６８は、他の点では、図６、７の場合と同じ方法で動作されるが、ブロック６７は、ループ７１、位相検出器８６、制御信号を考慮するだけである。
【００２５】
上述した図６、７、８のそれぞれの素子は、状況をより分かり易くするために同じ番号で示されている。
【００２６】
次に本発明による伝播保障無線リンクの一例を考察する。ここで適用されるエラー訂正方法はＲＳ（６３、５９）アルゴリズムである。
【００２７】
屋外装置ＯＵ１、ＯＵ２における双方の送信経路を用いて、チェックすべきデータＲＳ（６３、５９）を原始多項式（polynome）によって掛け算することにより、観察下の時間間隔長のデータフローに関してチェックサムが計算される。このチェックサムは、チェックすべきデータに継続（continuation）として加算される。ここで、観察の時間間隔は、３５４ビット、つまり５９バイト（１バイトが６ビットを含むとき）である。前記の時間間隔にチェックサムを足したものに含まれるペイロード情報によって形成されるデータフレームの長さは３７８ビット、つまり６３バイトであり、その中、チェックサムの配分は４バイトである。
【００２８】
ここで、生成されたデータフレームは、２つの異なる無線経路を通じて送信される。それらの送信経路は、可能な限り異なる方法で妨害を受けることになる。従って、可能な干渉は一般には一度に１つの送信経路でのみエラーを生じさせる。
【００２９】
受信データフレームは、送信データフレームを発生多項式（generator polynome）によって分割することにより受信屋外装置ＯＵ１、ＯＵ２で処理され、子の結果、分割の残りが得られる。エラーを突きとめるアルゴリズムは、この残りをエラーを検出するために使用する。エラーの検出に加えてエラーの訂正もされ得るが、この場合、エラーバイトの訂正はせいぜい２バイトである。訂正され得るバイトの最大量は、インターリービングによって８バイトまで増やすことができる。これらのバイトは訂正され、幾つのエラーが受信データに含まれていたかを示すエラー合計が計算される。屋外装置ＯＵ１、ＯＵ２では、訂正されたペイロードとエラー合計を含むデータフレームが生成される。
【００３０】
屋内装置ＩＵは、屋外装置ＯＵ１、ＯＵ２の双方からデータフレームを受信し、切替装置ＣＤは、エラー合計に基づいて出力ケーブルへ更に案内すべきペイロード情報のためのより良い送信経路を選択する。
【００３１】
本発明は、例えば、ＰＤＨ（近接デジタルハイアラキー（plesiochronous digital hierarchy））に従う無線ネットワークにおいて、リンクをバックアップするために使用され得る。この場合、例えばＧＳＭネットワークにおける無線リンクの周波数は７〜３８ＧＨｚの範囲内で変動し、５８ＧＨｚほどでさえも読み取りが可能である。このタイプの使用では、ペイロード信号は、２Ｍビット／秒の一般速度、若しくは、その倍数の速度であってもよく、また、少なくとも３４Ｍビット／秒であってもよい速度を有する、ＰＤＨのデータ信号である。リンクの長さは、１００メートルと数十キロメートル程の間の何らかのものである。
【００３２】
ここで、信号手段の作動モードは、信号基準が満たされていることを意味する。従って、信号モードは、真、即ち、好ましくは１である。信号モードは、反転もされ得る。この場合、モード「１１」の代わりに、モード「００」が観察される。用語「同一モード」は、しかしながら、モード「１１」若しくは「００」を表し、「非同一モード」は、モード「０１」若しくは「１０」を意味する。
【００３３】
屋内装置と屋外装置はここでは、システムの装置の象徴的な位置を表すものであって、建物の内部や外部の位置に限定するものではない。
送信経路の数は２つ若しくは３つ以上とすることができる。
【００３４】
本発明は上述した実施形態だけに限定されるものではなく、添付クレームに規定された発明概念の範囲内で多くの変更が可能である。
【図面の簡単な説明】
【図１】  本発明によるサービス環境を示すブロック図である。
【図２】  本発明による方法を示す流れ図である。
【図３】  本発明によるリンク構成を示すブロック図である。
【図４】  既知の信号切替装置を示すブロック図である。
【図５】  本発明によるクロック信号マルチプレクサを適用する切替装置を示すブロック図である。
【図６】  本発明によるクロック信号マルチプレクサを示すブロック図である。
【図７】  本発明による他のクロック信号マルチプレクサを示すブロック図である。
【図８】  本発明による第３のクロック信号マルチプレクサを示すブロック図である。
【図１】
0003784258.tif 000002
【図２】
0003784258.tif 000003
【図３】
0003784258.tif 000004
【図４】
0003784258.tif 000005
【図５】
0003784258.tif 000006
【図６】
0003784258.tif 000007
【図７】
0003784258.tif 000008
【図８】
0003784258.tif 000009